(57)【要約】【課題】テープホルダとしての機能を有し、複数の接着テープ同士を相互に干渉させず且つ剥離して使用可能なように適切に仮貼着させておくことのできる新規有用なステーショナリを提供する。【解決手段】接着テープＴを剥離可能に仮貼着する仮貼着部２と、この仮貼着部２のうち複数の接着テープＴ同士を干渉させずに貼着可能な貼着部位２１を示唆する示唆手段３とを具備することとした。【選択図】図２
2006036398.tif 000002
【特許請求の範囲】
【請求項１】
接着テープを剥離可能に仮貼着する仮貼着部と、この仮貼着部のうち複数の接着テープ同士を干渉させずに貼着可能な貼着部位を示唆する示唆手段とを具備することを特徴とするステーショナリ。
【請求項２】
前記示唆手段が、仮貼着部の一部の形状変化を利用したものであることを特徴とする請求項１記載のステーショナリ。
【請求項３】
前記示唆手段が、仮貼着部の一部に対して印刷或いは着色することによって設けられていることを特徴とする請求項１又は２記載のステーショナリ。
【請求項４】
前記示唆手段が凹凸の連続する外縁を有する形状であり、その凸部が前記貼着部位を示唆していることを特徴とする請求項１〜３記載のステーショナリ。
【請求項５】
前記示唆手段が凹凸の連続する外周を有する円環状若しくは部分円環状をなすものであり、その凸部が前記貼着部位を示唆していることを特徴とする請求項４記載のステーショナリ。
【請求項６】
テープホルダとしての機能を営むに必要なテープ保持部及びテープ切断部を備え、前記仮貼着部及び前記示唆手段を、前記テープ保持部の一部に設けていることを特徴とする請求項１〜５記載のステーショナリ。
【請求項７】
テープホルダとしての機能を営むに必要なテープ保持部及びテープ切断部を具備し、前記テープ保持部が、前記接着テープの脱落を防止するための対をなす鍔部と、前記接着テープを装着するために前記鍔部の間に形成されるボス部とを備えたものであって、少なくとも一方の前記鍔部に前記仮貼着部と前記示唆手段とを設けていることを特徴とする請求項１〜６記載のステーショナリ。
【請求項８】
予め離間した複数箇所に設けられて複数の接着テープ同士を干渉させることなく剥離可能に貼着するための仮貼着部と、この仮貼着部の部位を示唆する示唆手段とを具備してなることを特徴とするステーショナリ。
【請求項９】
片手で把持可能なハンドグリップ部を備えることを特徴とする請求項１〜８記載のステーショナリ。
【発明の詳細な説明】
【技術分野】
【０００１】
本発明は、接着テープを剥離可能に貼着する仮貼着部を設けたステーショナリに関するものである。
【背景技術】
【０００２】
従来より、例えば特許文献１に示すように、接着テープを収納するテープ保持部と、このテープ保持部に付帯して設けられたテープ切断部とを備えるテープホルダが知られている。このようなテープホルダを利用する際は、当該テープホルダから必要に応じ接着テープを切り取って適用箇所に貼着するのが通例であるが、作業性を向上させるために、図９に示すように、手Ｈの甲Ｈ１や爪Ｈ２、机の縁部等に予め複数の接着テープＴを切り取って仮貼着しておき、順次それらを剥離して例えば掲示物Ｋの角部などの適用箇所に貼着していく手順を踏むことが利用者によって適宜行われている。
【特許文献１】特開２００３−９５５２０公報
【発明の開示】
【発明が解決しようとする課題】
【０００３】
ところが、接着テープを手の甲や爪に仮貼着すると接着性の低下を招き易く、相互に接着し合うなどしてテープ本来の機能を損なう恐れもある。また、机の縁部等に仮貼着させる場合も同様で、仮貼着する場所が埃等の付着した劣悪な環境にあれば粘着性が低下し、随意な位置に仮貼着することで接着テープ同士の接着も招き易いという不具合もある。
【０００４】
本発明は、このような課題に着目してなされたものであって、テープホルダは勿論のこと、それ以外のステーショナリにおいても、複数の接着テープ同士を相互に干渉させず且つ剥離して使用可能な状態を適切に保って仮貼着させておくことのできる新規有用なステーショナリを提供することを目的としている。
【課題を解決するための手段】
【０００５】
本発明は、上記の目的を達成するために、次のような手段を講じたものである。
【０００６】
すなわち、本発明のステーショナリは、接着テープを剥離可能に仮貼着する仮貼着部と、この仮貼着部のうち複数の接着テープ同士を干渉させずに貼着可能な貼着部位を示唆する示唆手段とを具備することを特徴とする。
【０００７】
このようなものであると、前記示唆手段が、複数の接着テープ同士を干渉させずに貼着可能な貼着部位を示唆し、その貼着部位に作業者の仮貼着動作を誘導するので、利用者が比較的無造作に作業を行っても、接着テープが相互に接着し合ったり、接着テープを接着性の低下する場所に貼着してしまうといった不具合が生じることを好適に回避することができる。
【０００８】
示唆手段の実施の態様としては、仮貼着部の一部の形状変化を利用したものであることが望ましい。或いは、仮貼着部の一部に印刷或いは着色することによって設けたものであってもよい。
【０００９】
より具体的には、凹凸の連続する外縁を有する形状をなし、その凸部が前記貼着部位を示唆していることが望ましい。
【００１０】
この場合、特に取扱いに便ならしめるためには、前記示唆手段が凹凸の連続する外周を有する円環状若しくは部分円環状をなすものであり、その凸部が前記貼着部位を示唆しているものが望ましい。
【００１１】
特に、本発明のステーショナリは、テープホルダとしての機能を営むに必要なテープ保持部及びテープ切断部を備え、前記仮貼着部及び前記示唆手段を、前記テープ保持部の一部に設けているものを好適な適用例として挙げることができる。
【００１２】
より具体的には、本発明のステーショナリは、テープホルダとしての機能を営むに必要なテープ保持部及びテープ切断部を具備し、前記テープ保持部が、前記接着テープの脱落を防止するための対をなす鍔部と、前記接着テープを装着するために前記鍔部の間に形成されるボス部とを備えたものであって、少なくとも一方の前記鍔部に前記仮貼着部と前記示唆手段とを設けていることが望ましい。
【００１３】
また、上記以外の構成からなる本発明のステーショナリとしては、予め離間した複数箇所に設けられて複数の接着テープ同士を干渉させることなく剥離可能に貼着するための仮貼着部と、この仮貼着部の部位を示唆する示唆手段とを具備してなるものが挙げられる。
【００１４】
このように、当初より仮貼着部それ自体が離間して設けられ、示唆手段がその部位を示唆するものであっても、上記と同様の作用効果が奏される。
【００１５】
操作性の良好なものとしては、片手で把持可能なハンドグリップ部を備えるものが挙げられる。
【発明の効果】
【００１６】
本発明は、以上のようにして、複数の接着テープ同士が干渉しない状態で貼着されるように、示唆手段が、使用者をして接着テープをステーショナリの一部に設けられた仮貼着部に誘導するので、使用者が比較的無造作に作業を行っても、接着テープを再び剥離して使用できる適切な状態に仮保持することの可能な新規有用なステーショナリを提供することが可能となる。
【発明を実施するための最良の形態】
【００１７】
以下、本発明の一実施形態を、図面を参照して説明する。
【００１８】
図１は本発明の一実施形態を示す正面図であり、図２、図３及び図４はその全体斜視図、分解斜視図及び一部破断した側面図である。
【００１９】
この実施形態のステーショナリＳは、オフィスや学校、家庭などにおいて広く利用されるテープホルダとしての機能を主体とするもので、テープ保持部Ｓ１及びテープ切断部Ｓ２を具備している。
【００２０】
テープ保持部Ｓ１は、一対のテープ保持要素１Ａ、１Ｂを突き合わせて構成した樹脂製のもので、各テープ保持要素１Ａ、１Ｂは、互いに突き合わせることによって外周１１１に接着テープＴを装着するための円筒を形成するボス部１１（１１Ａ、１１Ｂ）と、これらのボス部１１の外方端に拡開して形成した鍔部１２（１２Ａ、１２Ｂ）とを備えている。
【００２１】
そして、図４に示すように、一方のボス部１１Ａの内方端に、ボス部１１の外径よりも小さい外径の内筒１１５を設け、他方のボス部１１Ｂの内方端に、前記ボス部１１の内径よりも大きい内径の外筒１１６を設けて、これら内筒１１５と外筒１１６とを印籠構造の下に着脱可能に係合させるようにしている。後述する巻芯Ｔ１に巻回された接着テープＴは、上記印籠構造の係合を解除した状態でボス部１１Ａ、１１Ｂの外周に挿脱される。
【００２２】
前記一対の鍔部１２Ａ、１２Ｂは、装着される接着テープＴの脱落を防止するために、図３に示すように、前記ボス部１１（１１Ａ、１１Ｂ）の外方端を覆い且つそれよりも大径な方向に延出する円環状のものである。
【００２３】
これに対して、テープ切断部Ｓ２は、装着される接着テープＴの幅方向に延びる鋸状の刃Ｓ２１と、巻回された接着テープＴから引き出した引出し端部Ｔ２を仮止めする仮止片Ｓ２２とを備え、前記刃Ｓ２１を前記仮止片Ｓ２２の一部に形成した通常のものである。
【００２４】
このテープ切断部Ｓ２の内部は、前記一対のテープ保持要素１Ａ、１Ｂ同士を係合保持する保持手段として機能している。具体的には、図３に示すように、一方の鍔部１２Ｂの内面に突起Ｓ２３を一体に設け、他方の鍔部１２Ａの内面に前記突起Ｓ２３と嵌合するスリーブＳ２４を一体に設け、これら突起Ｓ２３とスリーブＳ２４を嵌合させることによって、テープ保持要素１Ａ、１Ｂ同士を突き合わせた状態に係合保持するようにしている。前記係止片Ｓ２２は、このスリーブＳ２４の外周に設定されている。
【００２５】
このステーショナリＳに装着される前記接着テープＴは、セロファン等の素材からなる通常ものであって、図示しないが片面に粘着性又は接着性を有する接着面を形成され、巻芯Ｔ１にロール状に巻回されたものである。
【００２６】
このような構成において、本実施形態は、前記テープ保持部Ｓ１に、接着テープＴを剥離可能に仮貼着する仮貼着部２と、この仮貼着部２のうち複数の接着テープＴ同士を干渉させずに貼着可能な貼着部位２１を示唆する示唆手段３とを設けている。
【００２７】
仮貼着部２は、図２に示すように、対をなす前記鍔部１２Ａ、１２Ｂのうち、一方の鍔部１２Ａを他方の鍔部１２Ｂに比してより大径なものにして、その鍔部１２Ａ側の外側面１２１Ａに設定したもので、少なくとも接着テープＴを剥離可能に仮貼着でき、しかも剥離によって接着テープＴの粘着性を低下させないために必要な表面状態を前記外側面１２１Ａに確保している。
【００２８】
これに対して、示唆手段３は、前記仮貼着部２の一部の形状変化を利用して構成したもので、具体的には、前記円環状の鍔部１２Ａの外縁である外周１２２Ａに凹凸１３を連続して形成し、その凸部１３１が複数の接着テープＴ同士を干渉させずに貼着可能な貼着部位２１を示唆している。この実施形態の場合、前記凸部１３１が１６箇所に設けてあり、１６箇所の貼着部位２１を示唆している。勿論、貼着部位やこれに伴う示唆の数がこれに限定されるものでない事は言うまでもない。
【００２９】
ところで、このステーショナリＳの前記ボス部１１から鍔部１２に亘る部位は、図５に示すように、ボス部１１の内周１１２に片手Ｈ３を差し込んで把持できるハンドグリップ部４を形成している。ボス部１１の内周１１２に中心に向かって若干傾斜するテーパ部１１２ａが設けてあるのは、このステーショナリＳを持ち易くするためである。そして、例えば使用者がこのハンドグリップ部４を利用して片手Ｈ３でこのステーショナリＳを把持し、もう片方の手でテープ切断部Ｓ２を利用して適宜の長さに切断した接着テープＴを前記仮貼着部２に貼着してゆけば、複数の接着テープＴの仮貼着を行い、接着テープＴのストックを行うことができる。その際、前記鍔部１２Ａの外側面１２１Ａのうち凸部１３１の対応部位において、接着テープＴの長手方向を鍔部１２Ａのラジアル方向に合致させて当該接着テープＴを仮貼着すれば、接着テープＴは一端側Ｔ３を前記凸部１３１に貼着され、他端側Ｔ４を外方に突出させた状態で、あたかも花びらが放射状に開いた状態で仮貼着される。したがって、利用者が再び接着テープＴを剥離して使用する際は、仮貼着部２に密着していない他端側Ｔ４から個々の接着テープＴを順次適切に剥がしてゆくことができ、各接着テープＴは相互に離間した状態にあるため貼着から剥離までの間、互いに干渉することもない。
【００３０】
以上のように、本実施形態のステーショナリＳは、接着テープＴを剥離可能に仮貼着する仮貼着部２と、この仮貼着部２のうち複数の接着テープＴ同士を干渉させずに貼着可能な貼着部位２１を示唆する示唆手段３とを備えるものである。そして示唆手段３が、複数の接着テープＴ同士を干渉させずに貼着可能な貼着部位２１を示唆し、その貼着部位２１に作業者の仮貼着動作を誘導するので、利用者が比較的無造作に作業を行っても、接着テープＴが相互に接着し合い、或いは接着テープＴを接着性の低下する場所に貼着するといった不具合を生じることを好適に回避して、接着テープＴの使用時における作業性を格段に向上させることが可能になる。
【００３１】
具体的にこの実施形態の示唆手段３は、仮貼着部２の一部の形状変化を利用して構成したものであるため、使用者をして、その視覚的作用或いは触覚的作用を通じて、接着テープＴを容易かつ確実にステーショナリＳの好ましい貼着部位２１に誘導することができる。すなわち、形状変化は物品が空間を仕切る輪郭によって視認し易く、手で触っても解り易いため、示唆が効果的になされることとなる。
【００３２】
特に、前記示唆手段３は凹凸の連続する外縁を有する形状であり、その凸部１３１が前記貼着部位２１を示唆している。このように示唆手段３が空間を仕切る外縁にあって凹凸形状をなすため、外観上明確である上、仮貼着部２の貼着部位２１が凸部１３１に対応しているので、前記接着テープＴの貼着及び剥離を極めて適切に行い得るものとなる。
【００３３】
より具体的には、前記示唆手段３が凹凸１３の連続する外縁である外周１２２Ａを有する円環状若しくは部分円環状をなすものであり、このようなものにおいて前述したようにその凸部１３１が前記貼着部位２１を示唆しているため、接着テープＴを放射状に仮貼着することができ、多数の接着テープＴを利用し易い位置に集合させておくことが可能となる。
【００３４】
とりわけ、本実施形態のステーショナリＳは、テープホルダの機能に仮貼着部２及び示唆手段３によって得られる機能を付与したものであるため、接着テープＴを切り取った先からテープ保持部Ｓ１に設けた仮貼着部２に示唆手段３による誘導の下に仮貼着してゆくことができ、従来のテープホルダに比して格段に使い勝手に優れたテープホルダとしての利用が可能になる。
【００３５】
その仮貼着部２及び示唆手段３が、テープ保持部Ｓ１のなかでも特に鍔部１２Ａに形成してあることから、テープの仮保持や剥離のための領域を十分に確保することができ、しかも目立ち易くて着脱し易いという特段の効果が奏される。
【００３６】
さらに、前記ボス部１１及び鍔部１２が片手Ｈ３で把持可能なハンドグリップ部４を兼ねるため、片手Ｈ３で把持して残りの手で接着テープＴの着脱等を行うという前述した使用態様を通じて極めて良好な使い勝手を実現することが可能となる。また、前記ステーショナリＳを前述したように把持することで、図５のように接着テープＴを仮貼着しない一部の前記凸部１３１が手の平を適度に刺激するため、指圧効果をもたらす。
【００３７】
なお、各部の具体的な構成は、上述した実施形態のみに限定されるものではない。
【００３８】
例えば、上述した実施形態の前記ステーショナリＳでは、一方の鍔部１２Ａに凹凸形状の外縁である外周１２２Ａを有する円環状をなす示唆手段３を設けたが、例えば、両側の鍔部１２Ａ、１２Ｂに前記示唆手段を設けた他の態様も考えられる。また、図６に示すように示唆手段Ｄ３は、円周方向に沿った所定領域のみに凹凸形状の外周Ｄ１２２Ａを設けたものであってもよい。このようなものであれば、片手ＤＨ３で把持可能なハンドグリップ部Ｄ４を使用者に対して明示でき、把持状態も良好なものとなる。
【００３９】
或いは、図７に示すように、仮貼着部Ｍ２の一部に印刷或いは着色を施すすることによって示唆手段Ｍ３を設けてもよい。このようにすると、ステーショナリの形状に制限されず、幅広いステーショナリに本発明を適用することができる上に、既製のステーショナリにおいても、前記仮貼着部Ｍ２に対応する領域さえあればその領域を着色等することで示唆手段を簡単かつ有効に形成することができるという利点がある。
【００４０】
特に、上述してきた様々な態様の示唆手段は、ステーショナリの外観を、動物の指、ひまわりなどの花、ライオンの顔などの親近感のあるものに模ることとの両立が容易なものである。
【００４１】
また、上記以外の構成からなるステーショナリとして、図８に示すように、予め離間した複数箇所に設けられて切断された複数の接着テープＹＴ同士を干渉させることなく剥離可能に貼着するための仮貼着部Ｙ２と、この仮貼着部Ｙ２の部位を示唆する示唆手段Ｙ３とを具備してなるものが挙げられる。
【００４２】
このように、当初より仮貼着部Ｙ２それ自体が離間して設けられ、示唆手段Ｙ３がその部位を示唆するものであっても、上記と同様の作用効果が奏される。この場合は、特に仮貼着部Ｙ２以外の部位を接着テープＹＴが貼着し難い素材或いは形状で構成しておくことで、貼着される部位が限定されて誤った使い方を防止でき、本発明の作用効果は確実なものとなる。
【００４３】
その他の構成も、本発明の趣旨を逸脱しない範囲で種々変形が可能である。
【図面の簡単な説明】
【００４４】
【図１】本発明の一実施形態に係るステーショナリを示す正面図。
【図２】同実施形態に係るステーショナリを示す全体斜視図。
【図３】同実施形態に係るステーショナリを示す分解斜視図。
【図４】同実施形態に係るステーショナリを示す一部破断した側面図。
【図５】同実施形態に係るステーショナリの使用状態を示す正面図。
【図６】本発明の他の実施形態に係るステーショナリの使用状態を示す正面図。
【図７】本発明の他の実施形態に係るステーショナリの使用状態を示す正面図。
【図８】本発明の他の実施形態に係るステーショナリを示す正面図。
【図９】本発明に係る従来技術を示す正面図。
【符号の説明】
【００４５】
１１（１１Ａ、１１Ｂ）…ボス部
１２（１２Ａ、１２Ｂ）…鍔部
１２２Ａ、Ｄ１２２Ａ…外周
１３…凹凸
１３１…凸部
２、Ｍ２、Ｙ２…仮貼着部
２１…貼着部位
３、Ｄ３、Ｍ３、Ｙ３…示唆手段
４、Ｄ４…ハンドグリップ部
Ｓ…ステーショナリ
Ｓ１…テープ保持部
Ｓ２…テープ切断部
Ｔ、ＹＴ…接着テープ
Ｈ３、ＤＨ３…片手
【図１】
2006036398.tif 000003
【図２】
2006036398.tif 000004
【図３】
2006036398.tif 000005
【図４】
2006036398.tif 000006
【図５】
2006036398.tif 000007
【図６】
2006036398.tif 000008
【図７】
2006036398.tif 000009
【図８】
2006036398.tif 000010
【図９】
2006036398.tif 000011